(57)【特許請求の範囲】
【請求項１】
開口枠（１）側に固定されるガイド枠（５）と、窓（２）側に固定される係合枠（６）と、ガイド枠（５）に装着されて係合枠（６）を介して窓（２）の開放量を換気開放位置に規制する牽制アーム（７）と、ガイド枠（５）に沿ってスライド移動して牽制アーム（７）を係合枠（６）に対して係合状態と係合解除状態とに切り換え操作する切換具（８）とを備えており、
ガイド枠（５）には、牽制アーム（７）の一端に設けたスライドピン（１２）をスライド案内するガイド溝（１０）が設けられており、
係合枠（６）には、牽制アーム（７）の他端に設けた係合ピン（１４）に係合する係合溝（１８）と、係合ピン（１４）が係合溝（１８）に対して出入りする出入口（２０）とが設けられており、
牽制アーム（７）は、スライドピン（１２）を介して切換具（８）と連結されており、
牽制アーム（７）は、スライドピン（１２）を中心にしてばね（１５）で屋内側へ向かって移動付勢されており、
牽制アーム（７）と同行スライドするロックピン（２９）が開口枠（１）側に設けられていて、ロックピン（２９）と係合するロック枠（３１）が、窓（２）側に設けられており、
窓（２）を全閉操作した状態において、切換具（８）で牽制アーム（７）をガイド溝（１０）に沿って一端から他端側へ向かってスライド操作することにより、係合ピン（１４）が係合溝（１８）に進入係合する換気位置と、係合ピン（１４）が係合溝（１８）との係合を解除する全開位置と、ロックピン（２９）がロック枠（３１）と係合して窓を開放不能に固定保持するロック位置とに切り換え操作できることを特徴とする窓換気用ステー。
【請求項２】
ロック枠（３１）が係合枠（６）と一体に設けられ、スライドピン（１２）がロック枠（３１）と係合するロックピン（２９）を兼ねている請求項１記載の窓換気用ステー。
【請求項３】
ロック枠（３１）にロックピン（２９）と係合する係合溝（３２）が設けられており、
ロックピン（２９）をロック位置に切り換えた状態において、窓（２）を室内側へ引き寄せ操作できるよう係合溝（３２）が斜めに傾斜する状態でロック枠（３１）に形成されている請求項１または２記載の窓換気用ステー。  
【発明の詳細な説明】
【０００１】
【発明の属する技術分野】
本発明は、開口枠側に軸支した牽制アームで窓を換気位置において開き規制でき、必要時には牽制アームによる開放規制作用を解除して、窓を閉じ状態から全開位置へ直接に開き操作できる窓換気用ステーに関する。
【０００２】
【従来の技術】
この種の窓換気用ステーは、本出願人の提案に係る特開２００１−９８８２７号公報に公知である。そこでは、牽制アームの一端を窓枠に連結し、牽制アームの他端に設けたスライドピンを開口枠に固定のガイド枠に上下スライド自在に案内支持している。ガイド枠には、スライドピンをスライド案内するガイド溝と、ガイド溝への出入口とが形成してある。出入口はガイド枠に設けたシャッターで開閉できる。
【０００３】
【発明が解決しようとする課題】
上記の換気用ステーによれば、牽制アームで換気状態に開放規制してある窓を一旦閉じ、さらにシャッターを切り換え操作してからでないと、窓を全開放できないので、窓が換気位置を越えて不用意に全開放操作されるのを阻止できる。従って、いたずらによる転落等をよく防止できるうえ、必要時にはノブを介してシャッターを切り換え操作するだけで、牽制アームによる開放規制作用を解除し、窓を容易に全開放操作できる。また、シャッターの開放スライドを阻止する錠を備えているステーにおいては、錠を解錠しない限り窓を全開放操作できないので、いたずらそのものを確実に防止できる。問題は、各種の機能を充足する必要上、部品点数が多くなり、換気用ステーの全体コストが高く付く点にあった。
【０００４】
本発明の目的は、構造の簡素化を図りながら従来と同様の転落防止機能を発揮でき、従って安全性に優れた窓換気用ステーをより低コストで提供することにある。本発明の目的は、転落防止機能に加えて、窓を開放不能にロック保持するためのロック機能も備えている窓換気用ステーを低コストで提供することにある。
【０００５】
【課題を解決するための手段】
本発明の窓換気用ステーは、図１ないし図３に示すごとく、開口枠１側に固定されるガイド枠５と、窓２側に固定される係合枠６と、ガイド枠５に装着されて係合枠６を介して窓２の開放量を換気開放位置に規制する牽制アーム７と、ガイド枠５に沿ってスライド移動して牽制アーム７を係合枠６に対して係合状態と係合解除状態とに切り換え操作する切換具８とを備えている。ガイド枠５には、牽制アーム７の一端に設けたスライドピン１２をスライド案内するガイド溝１０が設けてある。係合枠６には、牽制アーム７の他端に設けた係合ピン１４に係合する係合溝１８と、係合ピン１４が係合溝１８に対して出入りする出入口２０とが設けられている。牽制アーム７は、スライドピン１２を介して切換具８と連結されている。また、牽制アーム７は、スライドピン１２を中心にしてばね１５で屋内側へ向かって移動付勢してある。牽制アーム７と同行スライドするロックピン２９が開口枠１側に設けられていて、ロックピン２９と係合するロック枠３１が、窓２側に設けられている。以て、窓２を全閉操作した状態において、切換具８で牽制アーム７をガイド溝１０に沿って一端から他端側へ向かってスライド操作することにより、係合ピン１４が係合溝１８に進入係合する換気位置と、係合ピン１４が係合溝１８との係合を解除する全開位置と、ロックピン２９がロック枠３１と係合して窓を開放不能に固定保持するロック位置とに切り換え操作できる。
【０００７】
ロック枠３１は、図９ないし図１３に示すごとく係合枠６と一体に設け、スライドピン１２がロック枠３１と係合するロックピン２９を兼ねるようにすることができる。
【０００８】
ロック枠３１には、図２および図４に示すごとく、ロックピン２９と係合する係合溝３２を設け、ロックピン２９をロック位置に切り換えた状態において、窓２を室内側へ引き寄せ操作できるよう係合溝３２が斜めに傾斜する状態でロック枠３１に形成されている。
【０００９】
【発明の作用効果】
窓２を閉じた状態において、開口枠１に固定のガイド枠５と、窓２に固定の係合枠６とは、上下あるいは左右に対向しており、牽制アーム７がばね１５の付勢力を受けて待機位置に位置保持されている。この状態から牽制アーム７を切換具８でガイド溝１０に沿ってスライド操作すると、係合ピン１４が係合枠６の係合溝１８に係合する換気位置と、係合ピン１４が係合枠６の係合溝１８から離脱して係合を解除する全開位置とに切り換えることができる。係合ピン１４が換気位置にある状態で窓２を開放操作すると、牽制アーム７がばね１５の付勢力に抗して屋外側へ揺動しながら引き出されて、窓２を換気開放位置に保持固定するので、それ以上に窓２を開放操作できない。従って、いたずらによる幼児の転落事故を未然に防止できる。因みに、換気開放位置において切換具８が切り換え操作されても、窓２の開量が僅かに増加するだけに過ぎない。窓２を全開放するときは、換気開放位置にある窓２を閉じ操作したうえで、切換具８をスライド操作して牽制アーム７をスライド操作し、その係合ピン１４を係合枠６の係合溝１８の外に位置させる。この状態では、窓２を開放しても牽制アーム７はばね１５に付勢されて待機状態を維持し続けるので窓２を全開放できる。切換具８をスライド操作して牽制アーム７をスライド変位操作するだけで、窓２を全開放操作し、あるいは換気開放できるので、窓２の開放量を変更する際の手間を軽減できる。
【００１０】
上記のように本発明の窓換気用ステーは、開口枠１側のガイド枠５、牽制アーム７および切換具８と、窓２側の係合枠６とでステーを構成し、待機状態における牽制アーム７の位置を切換具８で切り換え操作することによって、窓２を換気開放状態と全開放状態とに切り換えられるようにしたので、従来例に比べてステー構造を簡素化しながら、従来の換気ステーと同様の転落防止機能を発揮でき、従って安全性に優れた窓換気用ステーをより低コストで提供できる。
【００１１】
開口枠１に牽制アーム７と同行移動するロックピン２９を設け、窓２にロックピン２９に係合するロック枠３１を設けた窓換気用ステーによれば、切換具８を換気位置から全開位置を越えてロック位置に切り換え操作することにより、ロックピン２９をロック枠３１に係合させて、窓２を開放不能にロック固定できる。従って、窓２に設けた錠装置に加えて窓換気用ステーによっても鎖錠機能を発揮し、いたずらを多重に防止して安全性を向上できる利点を有する。窓２が不正に開放操作されるのを排除し、防犯効果を強化できる点でも有利である。
【００１２】
ロック枠３１を係合枠６と一体に設け、ロック枠３１に係合するロックピン２９をスライドピン１２が兼ねるようにした窓換気用のステーによれば、装置全体の構成部品点数を削減して、その分だけ窓換気用ステーの製造コストを削減化でき、故障を生じにくい窓換気用のステーが得られる。
【００１３】
ロック枠３１に設けた係合溝３２を斜めに傾斜する状態で形成し、ロックピン２９をロック位置に切り換えた状態において、窓２を室内側へ引き寄せ操作できるようにした窓換気用ステーによれば、全閉されロックされた状態における窓２を、パッキンを介して開口枠１に密着固定して、強風や外部からの振動を受けて窓２にガタ付きが生じるのを防止でき、窓２を閉じた状態における気密度を向上して外部空気の侵入を防止できる。
【００１４】
【実施例】
（第１実施例）  図１ないし図８は本発明に係る換気用ステーの第１実施例を示す。図１において、符号１は開口枠、２は窓である。開口枠１および窓２は、それぞれアルミニウム条材を角枠状に組んで形成する。窓２はその一側端が開口枠１に固定したヒンジ３で支持されており、垂直軸まわりに揺動開閉できる。窓２を閉じた状態においては、図外の錠やラッチで窓２を閉じ位置に固定できる。換気位置において窓２を開放規制するために、開口枠１と窓２の下枠下面との間には、本発明の換気用ステーが配置される。
【００１５】
換気用ステーは、開口枠１の下枠上面に固定されるガイド枠５と、窓２の下枠下面に固定される係合枠６と、ガイド枠５に装着されて係合枠６に対し係合または係合解除操作される牽制アーム７と、牽制アーム７をガイド枠５に沿ってスライド自在に切り換え操作する切換具８と、窓２を開放不能にロック保持するロック機構等で構成する。
【００１６】
図２および図３においてガイド枠５は、下面側が開口する左右方向に長い断面コ字状のプレス金具からなり、その上面壁に左右横長のガイド溝１０とこれに通じる逃げ溝１１とを設け、ガイド溝１０で牽制アーム７の一端に固定したスライドピン１２を左右方向へスライド自在に案内している。ガイド枠５には、ガイド溝１０に臨む枠前壁に切換具８をスライド操作するための操作溝１３が開口している（図３参照）。
【００１７】
牽制アーム７は両端が丸められた帯状のステンレス板材からなり、その一方（右端）の上面にスライドピン１２が、他端（左端）の上面に係合ピン１４がそれぞれ設けられている。スライドピン１２は、ガイド枠５のガイド溝１０に上方から嵌入係合し、スライドピン１２の下端がガイド枠５の内部において切換具８にかしめ固定されている。従って、切換具８を操作溝１３に沿って左右方向へスライド操作すると、牽制アーム７の全体が切換具８と同行移動して左右に変位できる。牽制アーム７はキックばね（ばね）１５でスライドピン１２を中心に図４において反時計回転方向へ揺動付勢されて待機姿勢に維持されている。キックばね１５は、スライドピン１２に外嵌する状態で牽制アーム７とガイド枠５との間に配置し、その一端を切換具８に掛け止め、他端を牽制アーム７に固定のピン１６に掛け止めてある。このピン１６との接触緩衝を避けるために、ガイド溝１０の端部に連続して逃げ溝１１を設けてある。牽制アーム７が待機姿勢にあるとき、ピン１６が逃げ溝１１の側壁で受け止められるので、牽制アーム７の待機姿勢を常に一定とすることができる。
【００１８】
窓２側の係合枠６は断面Ｃ字状のプレス金具からなり、枠の下面側において内外に対向する折り曲げ遊端壁の間に、係合ピン１４を捕捉係合する係合溝１８が設けてある。図６において係合溝１８の一（右）側端の内部に端金具１９を嵌め込んで溶接することにより、係合溝１８の右端部を塞いでいる。係合溝１８におけるヒンジ３側の他（左）側端は解放してあって係合ピン１４が出入りする出入口２０になっている。この出入口２０において内外に対向する折り曲げ遊端壁のうち、屋外側の遊端壁を屋内側の遊端壁より吊元側へ突出させて規制壁２１としている。
【００１９】
切換具８は、操作溝１３を介してガイド枠５の内部に差し込み装填されて、スライドピン１２にかしめ固定される切換ベース２３と、切換ベース２３の立壁にかしめ固定される板ばね材製の切換アーム２４と、切換アーム２４の上端に固定した操作つまみ２５とからなる。切換ベース２３には、ガイド枠５に設けた逃げ溝１１に対応する逃げ溝２６を設けてある。図３において切換アーム２４は、開口枠１側に固定のパッキン２７と窓２の下枠との接触面を介して室内側に突出されており、従って窓２を閉じた状態のままで操作つまみ２５をスライド操作できる。
【００２０】
切換具８をスライド操作して、牽制アーム７を換気、全開、ロックの各位置に切り換えることにより、窓２を換気位置で開放規制し、次に全開放操作でき、さらにその次には窓２を開放不能にロック保持できる。詳しくは、図４に示すように窓２を閉じた状態において、切換具８をスライド操作してスライドピン１２をこれがガイド溝１０の右側端に来る換気位置に切り換えると、牽制アーム７の他端に設けた係合ピン１４が出入口２０を介して係合枠６の係合溝１３に進入係合する。この状態で窓２を開放操作すると、図１に示すように係合ピン１４が窓２に同行して屋外側へ変位しようとするので、牽制アーム７はスライドピン１２を中心にして屋外側へ揺動する。やがて係合ピン１４は、図６に示すように係合溝１８の端金具１９と接当して、それ以上に窓２が開くのを規制する。この状態で換気を行う。換気状態においては、ピン１６が逃げ溝１１の内奥端に位置して、切換具８が換気位置から全開位置へ向かってスライド操作されるのを阻止する。従って、換気開放時に切換具８が屋外側から切り換え操作されるのを阻止し、防犯性を向上できる。
【００２１】
窓２を全開放操作するときは、換気開放した窓２を一旦閉じて、牽制アーム７を待機位置に戻したうえで、切換具８を図４に示す全開位置へ向かって左側へスライド操作する。このように、切換具８を全開位置に切り換えた状態では、図７に示すように、切換具８がスライドした分だけ係合ピン１４が左側へ移動して係合溝１８から抜け出て、規制壁２１と正対する。従って、窓２を開放操作しても、係合ピン１４は係合枠６と同行移動できず、牽制アーム７は待機姿勢を維持し続ける。
【００２２】
再び窓２を閉じたうえで、図８に示すように切換具８を更に左側へスライド操作すると、ロック機構がロック状態に切り換わり、窓２を開放不能に固定できる。すなわちロック機構は、開口枠１側に設けられて、一端が先の切換ベース２３に固定してある連動板２８と、連動板２８に固定したロックピン２９と、開口枠１に固定されて連動板２８とロックピン２９とを左右方向にスライドのみ自在に案内するピンガイド３０と、窓２側に設けられてロックピン２９に係合するロック枠３１とからなる。図２においてロック枠３１は、係合枠６と同様の断面Ｃ字形の枠体で構成して、枠の下面側において内外に対向する折り曲げ遊端壁の間に、ロックピン２９を捕捉係合する係合溝３２を設ける。ロックピン２９のロックスライド動作を利用して、窓２を室内側へ引き寄せ操作するために、図８に示すごとく先の係合溝３２は斜めに傾斜させてある。図２および図３において、符号３３は連動板２８用のスライドベースであって、開口枠１に固定してある。
【００２３】
（第２実施例）  図９ないし図１３は窓換気用ステーに関する本発明の第２実施例を示す。そこでは、前記ロック機構がガイド枠５と係合枠６との間に設けてある。具体的には、スライドピン１２をロックピン２９として利用し、図１０に示すようにロック枠３１を係合枠６の一側に一体に連設した。第１実施例における連動板２８とピンガイド３０とは省略した。この第２実施例においては、図１１に示すように切換具８を切り換え操作して牽制アーム７と係合ピン１４との位置を換気、全開、ロックの各位置に切り換えるとき、スライドピン１２が同じ方向へ同じ量だけ移動することを利用している。切換具８を換気位置に切り換えた状態では、図１２に示すように係合ピン１４が係合溝１８と係合しているので、先の第１実施例と同様に窓２を換気開放位置で開き規制できる。全開位置における、係合ピン１４と係合溝１８との関係も第１実施例と同じである。切換具８をロック位置に切り換えた状態では、図１３に示すように、ロック位置においてスライドピン１２、すなわちロックピン２９がロック枠３１の係合溝３２と係合して、窓２を開放不能に固定する。その際、窓２を室内側へ引き寄せ操作するために、係合溝３２は斜めに傾斜させてある。他は第１実施例と同じであるので、同じ部材に同じ符号を付して説明を省略する。以下の実施例においても同じ扱いとする。
【００２４】
（第３実施例）  図１４および図１５は切換具８の構造を変更した本発明の第３実施例を示す。この第３実施例における切換具８は、スライドピン１２にかしめ固定される切換ベース２３と、切換ベース２３を左右方向へ移動操作する切換レバー３５とで構成する。切換レバー３５は、操作つまみ２５が一体に設けてある切換アーム２４と、扇形のギヤ３６とを一体化して構成する。この切換レバー３５は、ガイド枠５に設けたブラケット３７で水平の軸３８を介して左右揺動可能に軸支されており、その下周縁に設けたギヤ歯３９が切換ベース２３に設けた直線状のラック歯４０と噛み合う。従って、切換レバー３５を左右方向へ揺動操作すると、牽制アーム７を換気、全開、ロックの各位置に切り換え操作できる。
【００２５】
（第４実施例）  図１６は切換具８の構造をさらに変更した本発明の第４実施例を示す。この第４実施例における切換具８は、開口枠１にハンドルケース４２を固定し、そのボスで軸支した垂直の軸４３の内外に、切換レバー４４と切換ハンドル４５とを同行揺動可能に固定した。ハンドルケース４２の内部に左右スライドのみ可能な切換ピース４６を設け、その板面に設けた係合溝４７に切換レバー４４の操作ピン４８を係合した。切換ピース４６は、連動板２８に固定した連動ピン４９と係合しており、従って切換ハンドル４５を軸４３まわりに揺動操作すると、牽制アーム７を換気、全開、ロックの各位置に切り換え操作できる。符号５０はクリックばねであって、牽制アーム７を換気、全開、ロックの各位置に切り換え操作した状態において切換レバー４４の操作ピン４８を位置決め保持する。
【００２６】
上記の実施例以外に、本発明の窓換気用ステーは、窓２の側枠と開口枠１の縦枠との間に配置して使用できる。その場合には、窓２の左右幅が大小に異なる場合であっても、窓２の換気開口量を牽制アーム７で規定された開量に一体化できる。因みに、実施例で説明した使用形態においては、窓２の左右幅の違いに応じてガイド枠５の取付位置を変更し、窓２の揺動先端における開口量が一定値を越えて大きくなるのを避ける必要がある。窓２が滑り出し型や回転窓型である場合にも適用できる。
【図面の簡単な説明】
【図１】概略平面図
【図２】主要構成部品の分解斜視図
【図３】窓を閉じた状態での縦断側面図
【図４】切換具を切り換えた時の各ピンの位置関係を説明する平面図
【図５】縦断面図
【図６】換気開放時の一部破断平面図
【図７】全開放時の一部破断平面図
【図８】ロック時の一部破断平面図
【図９】第２実施例の概略平面図
【図１０】第２実施例の主要構成部品の分解斜視図
【図１１】第２実施例の縦断面図
【図１２】第２実施例の換気開放時の一部破断平面図
【図１３】第２実施例のロック時の一部破断平面図
【図１４】第３実施例の縦断側面図
【図１５】図１４におけるＡ−Ａ線断面図
【図１６】第４実施例の横断平面図
【符号の説明】
１  開口枠
２  窓
５  ガイド枠
６  係合枠
７  牽制アーム
８  切換具
１０  ガイド溝
１２  スランドピン
１４  係合ピン
１５  ばね
１８  係合溝
２０  出入口
２９  ロックピン
３１  ロック枠
３２  係合溝
【図１】
0004074462.tif 000002
【図２】
0004074462.tif 000003
【図３】
0004074462.tif 000004
【図４】
0004074462.tif 000005
【図５】
0004074462.tif 000006
【図６】
0004074462.tif 000007
【図７】
0004074462.tif 000008
【図８】
0004074462.tif 000009
【図９】
0004074462.tif 000010
【図１０】
0004074462.tif 000011
【図１１】
0004074462.tif 000012
【図１２】
0004074462.tif 000013
【図１３】
0004074462.tif 000014
【図１４】
0004074462.tif 000015
【図１５】
0004074462.tif 000016
【図１６】
0004074462.tif 000017